(57)【要約】【課題】ドライバの運転状態に応じて片手運転に対する適切な警告を行う車載用ナビゲーション装置を提供する。【解決手段】車両の操舵ハンドルの把持状態を検出する把持状態検出手段と、該把持状態検出手段により操舵ハンドルが片手で把持されていることが検出され、かつ、予め定められた不正片手運転識別条件が充足される場合にのみ、不正片手運転が発生したと認識する不正片手運転認識手段と、該不正片手運転が認識された場合に、予め定められた不正片手運転対応処理を行う不正片手運転対応処理実行手段と、を備えることを特徴とする車載用ナビゲーション装置として提供可能である。【選択図】図１
2008122149.tif 000002
【特許請求の範囲】
【請求項１】
車両の操舵ハンドルの把持状態を検出する把持状態検出手段と、
該把持状態検出手段により前記操舵ハンドルが片手で把持されていることが検出され、かつ、予め定められた不正片手運転識別条件が充足される場合にのみ、不正片手運転が発生したと認識する不正片手運転認識手段と、
該不正片手運転が認識された場合に、予め定められた不正片手運転対応処理を行う不正片手運転対応処理実行手段と、
を備えることを特徴とする車載用ナビゲーション装置。
【請求項２】
前記車両の車速を検出する車速検出手段を備え、
前記不正片手運転認識手段が参照する不正片手運転識別条件において、前記不正片手運転が発生したと識別するための必要条件に、前記車速が予め定められた車速閾値を上回る車速条件が含まれる請求項１に記載の車載用ナビゲーション装置。
【請求項３】
前記車両の現在位置を検出する位置検出手段と、
渋滞情報を取得する渋滞情報取得手段と、を備え、
前記不正片手運転認識手段が参照する不正片手運転識別条件において、前記不正片手運転が発生したと識別するための必要条件に、前記車両の現在位置が前記渋滞情報で渋滞とされる道路区間外にある非渋滞条件が含まれる請求項１または請求項２に記載の車載用ナビゲーション装置。
【請求項４】
前記車両の車速を検出する車速検出手段を備え、
前記不正片手運転認識別手段が参照する不正片手運転識別条件において、前記不正片手運転が発生したと識別するための必要条件に、前記車両の現在位置が前記渋滞情報が示す渋滞道路の区間外であって、前記車速が予め定められた非渋滞時車速閾値を上回るか、または、前記渋滞道路の区間内であって、前記車速が前記非渋滞時車速閾値とは異なる予め定められた渋滞時車速閾値を上回るか、のいずれかを充足する車速条件が含まれる請求項２に記載の車載用ナビゲーション装置。
【請求項５】
前記把持状態検出手段による前記操舵ハンドルの把持状態が片手把持であることを検出し始めてからの片手把持継続時間を測定する片手把持継続時間測定手段と、
渋滞情報を取得する渋滞情報取得手段と、を備え、
前記不正片手運転認識別手段が参照する不正片手運転識別条件において、前記不正片手運転が発生したと識別するための必要条件に、前記車両の現在位置が前記渋滞情報が示す渋滞道路の区間外であって、前記片手把持継続時間が予め定められる非渋滞時継続時間閾値を上回るか、または、前記渋滞道路の区間内であって、前記片手把持継続時間が予め定められる非渋滞時時間閾値とは異なる渋滞時継続時間閾値を上回るか、のいずれかを充足する片手把持継続時間条件が含まれる請求項１ないし請求項４のいずれか１項に記載の車載用ナビゲーション装置。
【請求項６】
前記操舵ハンドルの操舵角度を検出する操舵角度検出手段を備え、
前記不正片手運転認識手段が参照する不正片手運転識別条件において、前記不正片手運転が発生したと識別するための必要条件に、前記操舵角度が予め定められる閾値を下回ることを充足する操舵角度条件が含まれる請求項１ないし請求項５のいずれか１項に記載の車載用ナビゲーション装置。
【請求項７】
前記車両のシフトレバーのポジションを検出するシフトレバーポジション検出手段を備え、
前記不正片手運転認識手段が参照する不正片手運転識別条件において、前記不正片手運転が発生したと識別するための必要条件に、前記シフトレバーポジションが後退ポジションにないことを充足するシフトレバーポジション条件が含まれる請求項１ないし請求項６のいずれか１項に記載の車載用ナビゲーション装置。
【請求項８】
前記把持状態検出手段による前記操舵ハンドルの把持状態が片手把持であることを検出し始めてからの片手把持継続時間を測定する片手把持継続時間測定手段と、
前記車両の運転に関係する運転関連装置の操作を検出する操作検出手段と、を備え、
前記不正片手運転認識手段が参照する不正片手運転識別条件において、前記不正片手運転が発生したと識別するための必要条件に、前記把持状態検出手段による前記操舵ハンドルの把持状態が片手把持であることを検出し始めてから前記運転関連装置の操作が検出されるまでの片手把持継続時間が、予め定められた許容時間を超えることを充足する運転関連装置操作条件が含まれる請求項１ないし請求項７のいずれか１項に記載の車載用ナビゲーション装置。
【請求項９】
前記運転関連装置は、シフトレバー、灯火装置、ウィンカー、警告ホーン、ワイパーのうちの少なくとも一つを含む請求項８に記載の車載用ナビゲーション装置。
【請求項１０】
基準時間と、その基準時間内に検出された前記片手把持継続時間の累計との比である平均片手運転率を算出する平均片手運転率算出手段を備え、
前記不正片手運転認識手段が参照する不正片手運転識別条件において、前記不正片手運転が発生したと識別するための必要条件に、前記平均片手運転率が予め定められる閾値を上回ることを充足する平均片手運転率条件が含まれる請求項５ないし請求項９に記載の車載用ナビゲーション装置。
【請求項１１】
前記不正片手運転対応処理実行手段は、前記不正片手運転に対する警告報知を行う警告報知手段を含む請求項１ないし請求項１０に記載の車載用ナビゲーション装置。
【請求項１２】
前記不正片手運転対応処理実行手段は、前記運転関連装置以外の予め定められた車載機器の使用を制限する処理を前記不正片手運転対応処理として実行する請求項１ないし請求項１１のいずれか１項に記載の車載用ナビゲーション装置。
【請求項１３】
道路情報を含む電子地図データを、各道路上の接近警告対象物の位置情報とともに記憶する地図データ記憶手段と、
前記電子地図データ上にて前記車両の走行方向前方に前記接近警告対象物が存在する場合において、該車両の現在位置から前記接近警告対象物までの距離が予め定められた接近警告閾距離未満となった場合に接近警告情報を出力する接近警告情報出力手段、とを備え、
前記不正片手運転対応処理実行手段は、前記不正片手運転対応処理として、前記接近警告対象物出力手段が採用する前記接近警告閾距離の値を、通常時よりも拡大する前記接近警告閾距離拡大処理を実行する請求項３ないし請求項１２のいずれか１項に記載の車載用ナビゲーション装置。
【請求項１４】
前記接近警告対象物は急カーブ、踏切、経路案内時に走行方向選択指示がなされる分岐点である請求項１３に記載の車載用ナビゲーション装置。
【発明の詳細な説明】
【技術分野】
【０００１】
本発明は、車載用ナビゲーション装置に関するものである。
【背景技術】
【０００２】
車両の走行に伴ってＧＰＳ（Global  Positioning  System：全地球測位システム）等により現在位置を検出し、その現在位置を表示器上に道路地図と共に表示して、出発地から目的地までの適切な経路を設定し、表示器や音声出力装置などによって案内する車載用ナビゲーション装置は、ユーザの効率的で安全な運転に貢献している。
【０００３】
車載用ナビゲーション装置には、「急カーブ」，「合流」，「踏切」などのような、走行時により注意を必要とする地点にさしかかった際に、ユーザに警告を発する機能が含まれているものがある。
【０００４】
例えば、車両の走行前方にあるカーブを安全に通過できるか否かを判定し、安全に通過できない状態を判定すると、運転者に警告音を発生させる車両用カーブ走行警告装置で、車両が減速状態にあるときは警告の発生を緩和させ、また警告音の発生中に車両が安全な走行状態に移行したとき直ちに警告音の発生を停止させ、さらに警告レベルが前回の警告レベルと同じであるとき同一内容の警告の発生を行わないようにするものが考案されている（特許文献１参照）。
【０００５】
また、飲酒状態や居眠り状態のような危険な状態のまま運転者が運転を継続することをできるだけ防止することができるナビゲーション装置が考案されている（特許文献２参照）。
【０００６】
【特許文献１】特開平１１−３１６８９９号公報
【特許文献２】特開２００５−０２４５０７号公報
【発明の開示】
【発明が解決しようとする課題】
【０００７】
上記の従来技術では、「急カーブ警告」，「合流警告」，「踏切警告」などは、ドライバの「運転への集中度」に関わらず一律の判定基準で警告を発する。このため、運転に集中していないドライバに対し、警告の種類や頻度が不足し、警告のタイミングも遅れる。また単純に警告の種類や頻度を増やしたり、警告のタイミングを早めると、ドライバは煩わしさを感じたり違和感を受けてしまうという問題がある。
【０００８】
特許文献２の例では、飲酒運転や居眠り運転という行為は、法規で禁止されている、行ってはならない行為であり、「行わない方が望ましい」行為は防止の対象として含まれていない。
【０００９】
「行わない方が望ましい」行為として、「片手運転」が挙げられる。「片手運転」はドライバが車両の運転と同時に、携帯電話の操作，喫煙や飲食，車載機器の操作，探し物（例：高速道路の通行券、財布），同乗している子供の世話のような「運転以外の行為」を行っている状態で、運転への集中度が低下している可能性が高い。しかしながら、従来の車載用ナビゲーション装置では「片手運転」に対して警告を行うものはない。
【００１０】
片手運転とは一般的に、ドライバがステアリングを両手で握っていない状況のことであるが、ステアリングを両手で把持しているか否かは、ステアリングに取り付けた感圧センサ等により検出できる。しかしステアリングを両手で把持していないだけで、ドライバに警告を発しては、ドライバに煩わしさを感じさせてしまう。
【００１１】
上記問題を背景として、本発明の課題は、ドライバの運転状態に応じて片手運転に対する適切な警告を行う車載用ナビゲーション装置を提供することにある。
【課題を解決するための手段および発明の効果】
【００１２】
上記課題を解決するための車載用ナビゲーション装置は、車両の操舵ハンドルの把持状態を検出する把持状態検出手段と、該把持状態検出手段により操舵ハンドルが片手で把持されていることが検出され、かつ、予め定められた不正片手運転識別条件が充足される場合にのみ、不正片手運転が発生したと認識する不正片手運転認識手段と、該不正片手運転が認識された場合に、予め定められた不正片手運転対応処理を行う不正片手運転対応処理実行手段と、を備えることを特徴とする。
【００１３】
本発明は、操舵ハンドルの把持状況だけでなく、各種センサからの信号により車両の運転状況も判定条件（不正片手運転識別条件）に加え、「ステアリングを両手で把持すべき運転状況下での片手運転」である不正片手運転を確実に検出し、予め定められた不正片手運転対応処理を行うものである。上記構成によって、車載用ナビゲーション装置によって、今まではできなかった、「片手運転」に対して警告等の不正片手運転対応処理を、ドライバの運転の集中度に応じて行うことが可能となる。
【００１４】
また、本発明の車載用ナビゲーション装置は、車両の車速を検出する車速検出手段を備え、不正片手運転認識手段が参照する不正片手運転識別条件において、不正片手運転が発生したと識別するための必要条件に、車速が予め定められた車速閾値を上回る車速条件が含まれるように構成することもできる。
【００１５】
車速によっては、片手運転を許容してもよい場合もある。上記構成によって、ドライバが運転への集中度が低下している可能性が高い「片手運転」にのみ不正片手運転対応処理を行うので、不要な警告等を行ってドライバに煩わしさを感じさせることはなくなる。
【００１６】
また、本発明の車載用ナビゲーション装置は、車両の現在位置を検出する位置検出手段と、渋滞情報を取得する渋滞情報取得手段と、を備え、不正片手運転認識手段が参照する不正片手運転識別条件において、不正片手運転が発生したと識別するための必要条件に、車両の現在位置が渋滞情報で渋滞とされる道路区間外にある非渋滞条件が含まれるように構成することもできる。
【００１７】
渋滞時はノロノロ運転の場合や、停止とノロノロ運転を繰り返す場合等、様々な状況があり、非渋滞時とでは車両の周囲の状況が大きく異なる。不正片手運転を識別するための必要条件に非渋滞条件を含むことで、より適確に不正片手運転を識別することができる。上記構成によって、ドライバが運転への集中度が低下している可能性が高い「片手運転」にのみ不正片手運転対応処理を行うので、ドライバに煩わしさを感じさせることはなくなる。
【００１８】
また、本発明の車載用ナビゲーション装置は、車両の車速を検出する車速検出手段を備え、不正片手運転認識別手段が参照する不正片手運転識別条件において、不正片手運転が発生したと識別するための必要条件に、車両の現在位置が渋滞情報が示す渋滞道路の区間外であって、車速が予め定められた非渋滞時車速閾値を上回るか、又は、渋滞道路の区間内であって、車速が非渋滞時車速閾値とは異なる予め定められた渋滞時車速閾値を上回るか、のいずれかを充足する車速条件が含まれるように構成することもできる。
【００１９】
渋滞時と非渋滞時とでは車速の閾値を異なる値とすることができる。渋滞時は車両の周囲の状況に大きな変化が生じない場合が多い。よって、渋滞時車速閾値は非渋滞時車速閾値より大きい値に設定することができる。上記構成によって、操舵ハンドルの把持状況だけでなく、渋滞かどうかという車両の運転状況も判定条件に加えて、ドライバが運転への集中度が低下している可能性が高い「片手運転」である不正片手運転を確実に認識することが可能となる。
【００２０】
また、本発明の車載用ナビゲーション装置は、把持状態検出手段による操舵ハンドルの把持状態が片手把持であることを検出し始めてからの片手把持継続時間を測定する片手把持継続時間測定手段と、渋滞情報を取得する渋滞情報取得手段と、を備え、不正片手運転認識別手段が参照する不正片手運転識別条件において、不正片手運転が発生したと識別するための必要条件に、車両の現在位置が渋滞情報が示す渋滞道路の区間外であって、片手把持継続時間が予め定められる非渋滞時継続時間閾値を上回るか、又は、渋滞道路の区間内であって、片手把持継続時間が予め定められる非渋滞時時間閾値とは異なる渋滞時継続時間閾値を上回るか、のいずれかを充足する片手把持継続時間条件が含まれるように構成することもできる。
【００２１】
渋滞時と非渋滞時とでは片手把持継続時間の閾値を異なる値とすることができる。ドライバは渋滞中の疲労を避けるために片手運転を行うこともある。よって、渋滞時時間閾値は非渋滞時時間閾値よりも大きい値に設定することができる。上記構成によって、まず、単に操舵ハンドルの把持状態が片手把持であることだけではなく、その片手把持継続時間を不正片手運転識別条件に含め、さらに、渋滞かどうかという車両の運転状況も判定条件に加えることで、ドライバが運転への集中度が低下している可能性が高い「片手運転」である不正片手運転を確実に認識することが可能となる。
【００２２】
また、本発明の車載用ナビゲーション装置は、操舵ハンドルの操舵角度を検出する操舵角度検出手段を備え、不正片手運転認識手段が参照する不正片手運転識別条件において、不正片手運転が発生したと識別するための必要条件に、操舵角度が予め定められる閾値を下回ることを充足する操舵角度条件が含まれるように構成することもできる。
【００２３】
例えば右左折時等は操舵ハンドルを大きく回すため、操舵ハンドルを持ちかえるので片手運転は不可避となる。上記構成によって、片手運転とならざるを得ない状態では不正片手運転と認識しないので、不要な警告等を行ってドライバに煩わしさを感じさせることはなくなる。
【００２４】
また、本発明の車載用ナビゲーション装置は、車両のシフトレバーのポジションを検出するシフトレバーポジション検出手段を備え、不正片手運転認識手段が参照する不正片手運転識別条件において、不正片手運転が発生したと識別するための必要条件に、シフトレバーポジションが後退ポジションにないことを充足するシフトレバーポジション条件が含まれるように構成することもできる。
【００２５】
車庫入れ等の車両後退時には、半身になって車両の後方の状況を確認しながら操舵ハンドルを操作するので、片手（右ハンドル車の場合は概ね右手）での操作となることが多い。上記構成によって、片手運転とならざるを得ない状態では不正片手運転と認識しないので、不要な警告等を行ってドライバに煩わしさを感じさせることはなくなる。
【００２６】
また、本発明の車載用ナビゲーション装置は、把持状態検出手段による操舵ハンドルの把持状態が片手把持であることを検出し始めてからの片手把持継続時間を測定する片手把持継続時間測定手段と、車両の運転に関係する運転関連装置の操作を検出する操作検出手段と、を備え、不正片手運転認識手段が参照する不正片手運転識別条件において、不正片手運転が発生したと識別するための必要条件に、把持状態検出手段による操舵ハンドルの把持状態が片手把持であることを検出し始めてから運転関連装置の操作が検出されるまでの片手把持継続時間が、予め定められた許容時間を超えることを充足する運転関連装置操作条件が含まれるように構成することもできる。
【００２７】
車両の運転に関係する運転関連装置（後述）の操作を行うために、片手運転とならざるを得ない状況になることもある。上記構成によって、片手運転とならざるを得ない状態では不正片手運転と認識しないので、不要な警告等を行ってドライバに煩わしさを感じさせることはなくなる。
【００２８】
また、本発明の車載用ナビゲーション装置における運転関連装置は、シフトレバー、灯火装置、ウィンカー、警告ホーン、ワイパーのうちの少なくとも一つを含むように構成することもできる。
【００２９】
上記構成によって、これら運転関連装置を操作するために片手運転となった場合には、不正片手運転と認識しないので、不要な警告等を行ってドライバに煩わしさを感じさせることはなくなる。
【００３０】
また、本発明の車載用ナビゲーション装置は、基準時間と、その基準時間内に検出された片手把持継続時間の累計との比である平均片手運転率を算出する平均片手運転率算出手段を備え、不正片手運転認識手段が参照する不正片手運転識別条件において、不正片手運転が発生したと識別するための必要条件に、平均片手運転率が予め定められる閾値を上回ることを充足する平均片手運転率条件が含まれるように構成することもできる。
【００３１】
ドライバによっては、短い周期で片手運転と両手運転を繰り返す場合がある。この場合、単に片手把持継続時間とその閾値との比較では不正片手運転を認識できないこともあり得る。上記構成によって、片手運転と両手運転を繰り返す癖のあるドライバに対しても不正片手運転を認識することが可能となる。また、意図的に片手把持継続時間の閾値ぎりぎりまで片手運転を行い、一旦両手運転に戻り、再び片手運転を行うといった行為も不正片手運転と認識することができる。
【００３２】
また、本発明の車載用ナビゲーション装置における不正片手運転対応処理実行手段は、不正片手運転に対する警告報知を行う警告報知手段を含むように構成することもできる。
【００３３】
上記構成によって、ドライバに対して不正片手運転であること、すなわち運転への集中度の低下を認識させ、運転に集中すべく注意を喚起することが可能となる。
【００３４】
また、本発明の車載用ナビゲーション装置における不正片手運転対応処理実行手段は、運転関連装置以外の予め定められた車載機器の使用を制限する処理を不正片手運転対応処理として実行するように構成することもできる。
【００３５】
上記構成によって、ドライバは、不正片手運転を行うと車載用ナビゲーション装置や音響映像機器等の車載機器の使用が制限されてしまうので、両手運転を行わざるを得なくなり、その結果、運転に集中して不正片手運転を行わないようになる。
【００３６】
また、本発明の車載用ナビゲーション装置は、道路情報を含む電子地図データを、各道路上の接近警告対象物の位置情報とともに記憶する地図データ記憶手段と、電子地図データ上にて車両の走行方向前方に接近警告対象物が存在する場合において、該車両の現在位置から接近警告対象物までの距離が予め定められた接近警告閾距離未満となった場合に接近警告情報を出力する接近警告情報出力手段、とを備え、不正片手運転対応処理実行手段は、不正片手運転対応処理として、接近警告対象物出力手段が採用する接近警告閾距離の値を、通常時よりも拡大する接近警告閾距離拡大処理を実行するように構成することもできる。
【００３７】
上記構成によって、不正片手運転時は運転に集中していないと見なされるので、接近警告閾距離を拡大、すなわち、接近警告を通常よりも早めに行うことで、ドライバに運転に集中するように注意を喚起することが可能となる。
【００３８】
また、本発明の車載用ナビゲーション装置における接近警告対象物は急カーブ、踏切、経路案内時に走行方向選択指示がなされる分岐点であるように構成することもできる。
【００３９】
急カーブ、踏切、分岐点（合流点も含む）は、走行上注意を要する地形あるいは地点であったり、目的地へ到達するための重要な目標点である。上記構成によって、接近警告を通常よりも早めに行うことで、ドライバを運転に集中するように誘導し、当該地点を安全に通行でき、進路を間違えることを防ぐことが可能となる。
【発明を実施するための最良の形態】
【００４０】
以下、本発明の車載用ナビゲーション装置を、図面を参照しながら説明する。図１は車載用ナビゲーション装置（以下、ナビゲーション装置と略称）１００の構成を示すブロック図である。ナビゲーション装置１００は、ＧＰＳレシーバ１，車速センサ２，旋回速度センサ３，操作部２２，ＶＩＣＳレシーバ２３，交通情報受信部２４，音声発生部２５，スピーカ２６，表示部２７，ＬＡＮ（Local  Area  Network）Ｉ／Ｆ（インターフェース）２８，およびこれらが接続されたＣＰＵ８１等を含む制御回路８０（図２参照）等を備えている。
【００４１】
ＧＰＳレシーバ１は、ＧＰＳからの信号（ＧＰＳ信号）を受信するもので、そのＧＰＳ信号を基に、ＧＰＳ演算部８１ａにおいて車両の現在位置（ＧＰＳ座標）および車両の走行方位が演算される。少なくとも２個のＧＰＳからＧＰＳ信号を受信できれば、ＧＰＳに対してＧＰＳ信号の送信要求を送信してからＧＰＳ信号を受信するまでに要した時間と、静止衛星であるＧＰＳの位置とから車両の現在位置と走行方位を求めることができる。
【００４２】
旋回速度センサ３はジャイロスコープとも呼ばれ、回転角速度で表される車両の旋回速度を検出するものである。旋回速度センサ３で検出されたデータを基に、旋回速度演算部８１ｃにおいて旋回速度が演算される。
【００４３】
本発明の位置検出手段に相当するＧＰＳレシーバ１，旋回速度センサ３は、各々が性質の異なる誤差を持っているため、各々補完しながら使用するように構成されている。また、車両の走行距離を検出する距離センサ、方位や傾きを検出する地磁気センサ等と併用してもよい。さらに、ステアリング舵角センサ６や各転動輪の車輪センサ例えば車速センサ２等を用いてもよい。
【００４４】
車速センサ２は周知のロータリエンコーダ等の回転検出部を含み、例えば車輪取り付け部付近に設置されて車輪の回転を検出してパルス信号として制御回路８０に送るものである。制御回路８０では、ＣＰＵ８１の車速度演算部８１ｂにおいてその車輪の回転数を車両の速度に換算して、車両の現在位置から所定の場所までの予想到達時間を算出したり、車両の走行区間毎の平均車速を算出する。なお、車速センサ２が本発明の車速検出手段に相当する。
【００４５】
制御回路８０は、図２のように、通常のコンピュータとして構成されており、周知のＣＰＵ８１，ＲＯＭ８２，ＲＡＭ８３，入出力回路であるＩ／Ｏ８４，Ａ／Ｄ変換部８６，描画部８７，時計ＩＣ８８，フラッシュメモリ８９，およびこれらの構成を接続するバスライン８５が備えられている。ＣＰＵ８１は、ＨＤＤ２１に記憶されたナビプログラム２１ｐおよびデータにより制御を行う。また、ＨＤＤ２１へのデータの読み書きの制御はＣＰＵ８１によって行なわれる。また、ＣＰＵ８１からＨＤＤ２１に対してデータの読み書きの制御ができなくなった場合のために、ＲＯＭ８２にナビゲーション装置１００として必要最低限の動作を行うためのプログラムを記憶しておいてもよい。
【００４６】
図１のように、ＣＰＵ８１には、ＧＰＳ演算部８１ａ，車速度演算部８１ｂ，旋回速度演算部８１ｃ，マップマッチング部８１ｄ，経路案内部８１ｅ，片手運転判定部８１ｆが含まれている。これらは、それぞれ、ＣＰＵ８１において実行されるナビプログラム２１ｐに含まれる処理の一部であって、一定周期あるいはイベントとリガ等の所定のタイミングにより実行される。なお、ＣＰＵ８１（片手運転判定８１ｆ部）が本発明の不正片手運転認識手段，不正片手運転対応処理実行手段，片手把持継続時間測定手段，平均片手運転率算出手段に相当する。
【００４７】
図２において、Ａ／Ｄ変換部８６は周知のＡ／Ｄ（アナログ／デジタル）変換回路を含み、例えば位置検出器１などから制御回路８に入力されるアナログデータをＣＰＵ８１で演算可能なデジタルデータに変換するものである。
【００４８】
描画部８７は、ＨＤＤ２１等に記憶された地図データ２１ｍ（後述），表示用のデータや表示色のデータから表示部２７に表示させるための表示画面データを生成する。
【００４９】
時計ＩＣ８８はリアルタイムクロックＩＣとも呼ばれ、ＣＰＵ８１からの要求に応じて時計・カレンダーのデータを送出あるいは設定するものである。ＣＰＵ８１は時計ＩＣ８８から日時情報を取得する。また、ＧＰＳレシーバ１で受信したＧＰＳ信号に含まれる日時情報を用いてもよい。また、ＣＰＵ８１に含まれるリアルタイムカウンタを基にして日時情報を生成してもよい。取得された日時情報は、例えば走行履歴管理に用いられる。
【００５０】
ＨＤＤ２１には、ナビプログラム２１ｐの他に位置検出の精度向上のためのいわゆるマップマッチング用データ、道路の接続を表した道路データを含む地図データベースである地図データ２１ｍが記憶される。地図データ２１ｍは、表示用となる所定の地図画像情報を記憶するとともに、リンク情報やノード情報等を含む道路網情報を記憶する。リンク情報は、各道路を構成する所定の区間情報であって、位置座標、距離、所要時間、幅員、車線数、制限速度等がリンク属性に含まれる。また、ノード情報は、交差点（分岐路）等を規定する情報であって、位置座標、右左折車線数、接続先道路リンク、距離コスト等から構成される。また、リンク間接続情報には、通行の可不可を示すデータなどが設定されている。なお、地図データ２１ｍが本発明の地図データ記憶手段に相当する。
【００５１】
また、ＨＤＤ２１には経路案内の補助情報や娯楽情報、その他にユーザが独自にデータを書き込むことができ、ユーザデータ２１ｕとして記憶される。また、ナビゲーション装置１００の動作に必要なデータや各種情報はデータベース２１ｄとしても記憶される。
【００５２】
ナビプログラム２１ｐ，地図データ２１ｍ，ユーザデータ２１ｕ，およびデータベース２１ｄは、図示しない読取装置を用いて記憶媒体（図示せず）によりそのデータの追加・更新を行うことが可能である。記憶媒体は、そのデータ量からＣＤ−ＲＯＭやＤＶＤを用いるのが一般的であるが、例えばメモリカード等の他の媒体を用いてもよい。また、外部ネットワークを介してデータをダウンロードする構成を用いてもよい。
【００５３】
フラッシュメモリ８９には、ナビゲーション装置１００の動作に必要な情報およびデータが記憶されている。なお、フラッシュメモリ８９は、ナビゲーション装置１００がオフ状態になっても記憶内容が保持されるようになっている。また、フラッシュメモリ８９の代わりにナビゲーション装置１００の動作に必要な情報およびデータをＨＤＤ２１に記憶してもよい。さらに、ナビゲーション装置１００の動作に必要な情報およびデータをフラッシュメモリ８９とＨＤＤ２１に分けて記憶してもよい。
【００５４】
図１に戻り、操作部２２は、例えば表示部２７と一体になったタッチパネルもしくはメカニカルなスイッチが用いられる。タッチパネルは、表示部２７の画面上にガラス基盤と透明なフィルムにスペーサと呼ばれる隙間を介してＸ軸方向、Ｙ軸方向に電気回路が配線され、フィルム上をユーザがタッチすると、押された部分の配線がショートして電圧値が変わるため、これを２次元座標値（Ｘ，Ｙ）として検出する、いわゆる抵抗膜方式が広く用いられる。その他に、周知のいわゆる静電容量方式を用いてもよい。メカニカルスイッチの他に、マウスやカーソル等のポインティングデバイスを用いてもよい。また、リモコン端末により操作可能とする構成としてもよい。
【００５５】
また、マイクおよび音声認識ユニット（いずれも図示せず）を用いて種々の指示を入力する構成としてもよい。これは、マイクから入力された音声信号を、音声認識ユニットにおいて周知の隠れマルコフモデル等の音声認識技術により処理を行い、その結果に応じた操作コマンドに変換するものである。
【００５６】
ＶＩＣＳレシーバ２３は、例えば道路に沿って設けられた送信機（図示せず）から出力される光ビーコン、または電波ビーコンによってＶＩＣＳ（Vehicle  Information  and  Communication  System：道路交通情報通信システム）センタ（図示せず）から道路交通情報を受信、あるいはＦＭ多重放送を受信するための装置である。ＶＩＣＳレシーバ２３で受信した交通情報は交通情報受信部２４によって渋滞中の道路の番号（例えばリンク番号）が抽出され、その道路番号が経路案内部８１ｅに送られる。経路案内部８１ｅでは案内経路およびその周辺に渋滞中の道路があれば、その情報をスピーカ２６あるいは表示部２７により報知する。なお、交通情報受信部２４が本発明の渋滞情報取得手段に相当する。
【００５７】
スピーカ２６は周知の音声合成回路を含む音声発生部２５に接続され、ナビプログラム２１ｐの指令によってフラッシュメモリ８９あるいはＨＤＤ２１に記憶されるデジタル音声データが音声発生部２５においてアナログ音声に変換されたものが送出される。なお、音声合成の方法には、音声波形をそのままあるいは符号化して蓄積しておき必要に応じて繋ぎ合わせる録音編集方式、文字入力情報からそれに対応する音声を合成するテキスト合成方式などがある。
【００５８】
表示部２７は周知のカラー液晶表示器で構成され、ドット・マトリックスＬＣＤ（Liquid  Crystal  Display）およびＬＣＤ表示制御を行うための図示しないドライバ回路を含んで構成されている。ドライバ回路は、例えば、画素毎にトランジスタを付けて目的の画素を確実に点灯させたり消したりすることができるアクティブマトリックス駆動方式が用いられ、制御回路８０（描画部８７）から送られる表示指令および表示画面データに基づいて表示を行う。また、表示部２７として有機ＥＬ（ElectroLuminescence：電界発光）表示器，プラズマ表示器を用いてもよい。
【００５９】
なお、音声発生部２５，スピーカ２６，および表示部２７が本発明の警告報知手段，接近警告情報出力手段に相当する。
【００６０】
ＬＡＮ  Ｉ／Ｆ２８は車内ＬＡＮ２９を介して他の車載機器やセンサとのデータの遣り取りを行うためのインターフェース回路である。また、ＬＡＮ  Ｉ／Ｆ２８を介して車速センサ２等のセンサあるいはスイッチからのデータ取り込みを行ってもよい。
【００６１】
このような構成を持つことにより、ナビゲーション装置１００は、制御回路８０のＣＰＵ８１によりナビプログラム２１ｐが起動されると、ユーザが操作部２２の操作によって、表示部２７上に表示されるメニュー（図示せず）から目的地経路を表示部２７に表示させるための経路案内処理を選択した場合、次のような処理を実施する。
【００６２】
すなわち、まず、ユーザは目的地を探索する。目的地の探索方法は、例えば、地図上の任意の地点を指定する方法，目的地の所在する地域から探索する方法，目的地の電話番号から探索する方法，五十音表から目的地の名称を入力して探索する方法，あるいはユーザがよく利用する施設としてフラッシュメモリ８９に記憶されているものから探索する方法などがある。目的地が設定されると、ＣＰＵ８１のマップマッチング部８１ｄにより車両の現在位置が求められ、該現在位置を出発地として目的地までの最適な案内経路を求める処理が行われる。そして、表示部２７上の道路地図に案内経路を重ねて表示し、経路案内部８１ｅによりユーザに適切な経路を案内する。このような自動的に最適な案内経路を設定する手法は、ダイクストラ法等の手法が知られている。また、表示部２７およびスピーカ２６の少なくとも一方によって、操作時のガイダンスや動作状態に応じたメッセージの報知を行う。
【００６３】
また、ナビゲーション装置１００には、シフトレバーポジションセンサ４，ステアリング把持センサ５ａおよび５ｂ，ステアリング舵角センサ６，照明灯スイッチ７，ウィンカスイッチ８，警告ホーンスイッチ９，ワイパースイッチ１０，およびイグニッションスイッチ１３からの出力信号が受信可能に接続される。
【００６４】
シフトレバーポジションセンサ４は車両のシフトレバー１２（図３参照）の位置を検出するためのもので、シフトレバーポジションに応じた信号（電圧値あるいはデータ値等）が制御回路８０に入力される。制御回路８０では、その信号を基にシフトポジションを判定する。なお、シフトレバーポジションセンサ４が本発明のシフトレバーポジション検出手段に相当する。
【００６５】
ステアリング把持センサ５ａおよび５ｂは、操舵ハンドル（以下、ステアリングとも称する）１１（図３参照）の把持状態を検出するためのもので、例えば圧力センサ，タッチセンサあるいはメカニカルスイッチで構成される。操舵ハンドル１１が握られたときのセンサあるいはスイッチの状態の変化を検出することで把持状態を検出する。また、ドライバの皮膚温度を検出する皮膚温度センサや皮膚電位を検出する皮膚電位センサを用いてもよい。また、ステアリング把持センサ５ａおよび５ｂは、例えば、図３のような、正しい運転姿勢が維持され、運転時の疲労が少ないといわれている、いわゆる「１０時１０分」の位置に取り付けられる。ステアリング把持センサ５ａおよび５ｂがスイッチの場合は、操舵ハンドル１１が把持されるとスイッチがＯＮ状態となる。また、センサの場合は、操舵ハンドル１１が把持されセンサの出力電圧が所定の値を超えた場合にＯＮ状態と判定する。なお、ステアリング把持センサ５ａ，５ｂが本発明の把持状態検出手段に相当する。
【００６６】
ステアリング舵角センサ６は、図４のように、操舵ハンドル軸１１ａに設けられて、例えば回転トランスの一種であるレゾルバが用いられ、操舵ハンドル１１の操舵角度（回転角度）を電気信号に変換するものである。制御回路８０では、この電気信号を基に所定の演算を行い、操舵ハンドル１１の回転角度を求める。なお、ステアリング舵角センサ６が本発明の操舵角度検出手段に相当する。
【００６７】
図１に戻り、照明灯スイッチ７は、例えばウィンカレバーに組み込まれ、車幅灯や前照灯の点灯／消灯を行うためのものである。制御回路８０には、例えば、ＯＦＦ，車幅灯ＯＮ，前照灯ＯＮ，前照灯の光軸位置（ロービーム／ハイビーム）等の照明灯スイッチ７の状態が入力される。また、車両の室内に設置されたルームランプや読書灯のスイッチを照明灯スイッチ７に含めてもよい。
【００６８】
ウィンカスイッチ８は、例えばステアリングコラムにレバースイッチ（ウィンカレバー）として設けられ、ウィンカ（方向指示器）の動作を行うためのものである。制御回路８０には、例えば、ＯＦＦ，左折位置，右折位置等のウィンカスイッチ８の状態が入力される。
【００６９】
警告ホーンスイッチ９は、例えば、図３のように操舵ハンドル１１に設けられ、他の車両に対する合図・警告を行うためのものである。制御回路８０には、例えば、ＯＮ／ＯＦＦ等の警告ホーンスイッチ９の状態が入力される。
【００７０】
図１に戻り、ワイパースイッチ１０は、例えばステアリングコラムにレバースイッチとして設けられ、ワイパーの動作の動作を行うためのものである。制御回路８０には、例えば、ＯＦＦ，間欠，Ｌｏ，Ｈｉ等のワイパースイッチ１０の状態が入力される。
【００７１】
なお、照明灯スイッチ７，ウィンカスイッチ８，警告ホーンスイッチ９，およびワイパースイッチ１０が本発明の操作検出手段に相当する。
【００７２】
図５を用いて片手運転に関する処理の流れを説明する。なお、本処理はナビプログラム２１ｐに含まれ、ナビプログラム２１ｐの他の処理とともに繰り返し実行される。図１においては、片手運転判定部８１ｆに含まれる。片手運転に関する処理は、片手運転検出処理（Ｓ１１），不正片手運転認識処理（Ｓ１２），および不正片手運転対応処理（Ｓ１３）により構成される。なお、図５では、片手運転に関する処理以外の、ナビプログラム２１ｐの処理については省略してある。
【００７３】
図６を用いて、図５のステップＳ１１に相当する片手運転検出処理について説明する。まず、平均片手運転率算出タイミングである場合（Ｓ３１：Ｙｅｓ）、ＲＡＭ８３あるいはフラッシュメモリ８９に領域が確保される片手運転累積カウンタおよび基準時間カウンタをリセットする（Ｓ３２）。
【００７４】
平均片手運転率算出タイミングは、以下のいずれを用いてもよい。
（１）イグニッションスイッチ１３（図１参照）が、ＯＦＦ状態からＯＮ状態に変化したとき。
（２）車両の走行している道路が非渋滞道路である場合に、車両が発進したとき。
（３）車両の走行している道路が非渋滞道路から渋滞道路となったとき。
（４）車両の走行している道路が渋滞道路から非渋滞道路となったとき。
【００７５】
次に、ステアリング把持センサ５ａおよび５ｂの把持状態を取得する（Ｓ３３）。ステアリング把持センサ５ａおよび５ｂがＯＮ状態である場合（Ｓ３４：Ｙｅｓ）、両手運転すなわち片手運転でないと判定される（Ｓ４０）。このとき、片手運転累積カウンタの値に片手運転カウンタの値を加える（Ｓ４１）。また、ＲＡＭ８３あるいはフラッシュメモリ８９に領域が確保される片手運転フラグをクリアする。そして、ＲＡＭ８３あるいはフラッシュメモリ８９に領域が確保される片手運転カウンタをリセットする（Ｓ４２）。
【００７６】
一方、ステアリング把持センサ５ａおよび５ｂの少なくとも一方がＯＮ状態でない場合（Ｓ３４：Ｎｏ）、車速センサ２から車速データを取得する（Ｓ３５）。取得した車速の値が０ｋｍ／ｈである場合（Ｓ３６：Ｙｅｓ）、車両は停止しており運転状態にないので片手運転でないと判定され、上述のようなステップＳ４０〜Ｓ４２の処理を実行する。
【００７７】
一方、取得した車速の値が０ｋｍ／ｈでない場合（Ｓ３６：Ｎｏ）、片手運転であると判定される（Ｓ３７）。このとき、片手運転フラグをセットする。また、片手運転カウンタを更新（インクリメント）する（Ｓ３８）。
【００７８】
最後に、基準時間カウンタを更新（インクリメント）する（Ｓ３９）。
【００７９】
図７を用いて、図５のステップＳ１２に相当する不正片手運転認識処理について説明する。上述の片手運転検出処理において片手運転と判定されなかった場合（Ｓ５０：Ｎｏ）は本処理を実施せず、片手運転と判定されて片手運転フラグがセットされた場合（Ｓ５０：Ｙｅｓ）のみ、以下の処理を実施する。
【００８０】
（不正片手運転識別条件：操舵角度条件）
まず、ステアリング舵角センサ６の状態を取得する。そして、操舵ハンドル１１の操舵角度が例えば９０°のような所定値を超える場合（Ｓ５１：Ｙｅｓ）は、右左折あるいは方向転換を行っているために操舵ハンドル１１を持ち替えていると見なして、正当な片手運転と判定する（Ｓ６０）。ステップＳ６０では、ＲＡＭ８３あるいはフラッシュメモリ８９に領域が確保される不正片手運転フラグをクリアする。
【００８１】
（不正片手運転識別条件：シフトレバーポジション条件）
操舵ハンドル１１の操舵角度が所定値を超えない場合（Ｓ５１：Ｎｏ）は、シフトレバーポジションセンサ４の状態を取得する。そして、シフトレバーポジションが後退ポジションにある場合（Ｓ５２：Ｙｅｓ）は、ドライバが後方確認のため体を大きく捻って車両後方を見ている可能性が高いので、正当な片手運転と判定する（Ｓ６０）。
【００８２】
（不正片手運転識別条件：運転関連装置操作条件）
シフトレバーポジションが後退ポジションにない場合（Ｓ５２：Ｎｏ）は、シフトレバーポジションセンサ４，照明灯スイッチ７，ウィンカスイッチ８，警告ホーンスイッチ９，ワイパースイッチ１０の運転関連装置の状態を取得する。そして、これら運転関連装置の状態に変化があったかどうかを調べる。片手運転カウンタが予め定められた許容時間を下回っている状態で、少なくとも一つの運転関連装置の状態に変化があった場合（Ｓ５３：Ｙｅｓ）、運転に関係する車両装置を操作するための正当な片手運転と判定する（Ｓ６０）。
【００８３】
また、図８のように、運転関連装置の操作が行われた場合（Ｓ７１：Ｙｅｓ）に、操作カウンタをクリアし（Ｓ７２）、それ以外の場合はオバーフローガード付で操作カウンタを更新（インクリメント）する（Ｓ７３）構成とすれば、片手運転と判定された場合に、操作カウンタが予め定められた値を下回っていれば、運転に関係する車両装置を操作するための正当な片手運転であると判定することができる。
【００８４】
（非渋滞条件：不正片手運転識別条件：片手把持継続時間条件）
図７に戻り、運転関連装置の状態に変化がない場合（Ｓ５３：Ｎｏ）、ＶＩＣＳレシーバ２３および交通情報受信部２４を介して取得した渋滞情報と、車両の現在位置とから、車両が現在走行中の道路が渋滞中であるかを調べる。渋滞中でない場合（Ｓ５４：Ｎｏ）、片手運転カウンタを参照する。片手運転カウンタの値（片手把持継続時間）が予め定められた値である非渋滞時継続時間閾値を下回る場合（Ｓ５５：Ｙｅｓ）、短時間のため正当な片手運転と判定する（Ｓ６０）。
【００８５】
（非渋滞条件：不正片手運転識別条件：車速条件）
一方、片手運転カウンタの値（片手把持継続時間）が予め定められた値である非渋滞時継続時間閾値を上回る場合（Ｓ５５：Ｎｏ）、車速センサ２から車速を取得する。そして、取得した車速が例えば５ｋｍ／ｈのような非渋滞時車速閾値を下回る場合（Ｓ５６：Ｙｅｓ）は、低速走行中であり比較的安全なため、正当な片手運転と判定する（Ｓ６０）。
【００８６】
一方、取得した車速が非渋滞時車速閾値を上回る場合（Ｓ５６：Ｎｏ）は、次のステップ（Ｓ５７）へ進む（詳細は後述）。
【００８７】
（渋滞条件：不正片手運転識別条件：片手把持継続時間条件）
車両が現在走行中の道路が渋滞中であるかを調べ、渋滞中である場合（Ｓ５４：Ｙｅｓ）、片手運転カウンタを参照する。片手運転カウンタの値（片手把持継続時間）が予め定められた値である渋滞時継続時間閾値を下回る場合（Ｓ６１：Ｙｅｓ）、短時間のため正当な片手運転と判定する（Ｓ６３）。ステップＳ６３では、ステップＳ６０と同様に、ＲＡＭ８３あるいはフラッシュメモリ８９に領域が確保される不正片手運転フラグをクリアする。
【００８８】
（渋滞条件：不正片手運転識別条件：車速条件）
一方、片手運転カウンタの値（片手把持継続時間）が予め定められた値である渋滞時継続時間閾値を上回る場合（Ｓ６１：Ｎｏ）、車速センサ２から車速を取得する。そして、取得した車速が例えば２０ｋｍ／ｈのような渋滞時車速閾値を下回る場合（Ｓ６２：Ｙｅｓ）は、低速走行中であり比較的安全なため、正当な片手運転と判定する（Ｓ６３）。
【００８９】
一方、取得した車速が渋滞時車速閾値を上回る場合（Ｓ６２：Ｎｏ）は、次のステップ（Ｓ５７）へ進む（詳細は後述）。
【００９０】
（不正片手運転識別条件：平均片手運転率条件）
ステップＳ５７では、基準時間と、その基準時間内に検出された片手把持継続時間の累計との比である平均片手運転率を算出する。平均片手運転率は、片手把持継続時間の累計である片手運転累積カウンタの値を基準時間カウンタの値で割ったものである（両カウンタについては図６参照）。
【００９１】
平均片手運転率が予め定められる所定の値を下回る場合（Ｓ５８：Ｙｅｓ）は、正当な片手運転と判定する（Ｓ６０）。一方、平均片手運転率が予め定められる所定の値を上回る場合（Ｓ５８：Ｎｏ）は、不当な片手運転と判定して、不正片手運転フラグをセットする（Ｓ５９）。
【００９２】
上述の不正片手運転認識処理においては、不正片手運転識別条件として、操舵角度条件，シフトレバーポジション条件，運転関連装置操作条件，非渋滞条件（不正片手運転識別条件，車速条件），渋滞条件（不正片手運転識別条件，車速条件），および平均片手運転率条件を用いているが、これらの条件の全てを用いる必要はない。例えば、非渋滞条件とシフトレバーポジション条件のみを用いる構成でもよい。この場合、図７の不正片手運転認識処理では、ステップＳ５０が実行された後にステップＳ５２，Ｓ５５，およびＳ５６のみが実行され、片手運転の正当／不当が判定される。また、上述の不正片手運転識別条件の組み合わせについて、特に制約を設けるものではない。
【００９３】
図９〜図１８を用いて、図５のステップＳ１３に相当する不正片手運転対応処理について説明する。
【００９４】
図９は不正片手運転対応処理として不正片手運転に対する警告報知を行う例である。不正片手運転フラグがセットされている場合（Ｓ９１：Ｙｅｓ）、操舵ハンドル１１（図９ではステアリングと表記）を両手で把持するよう警告を行う（Ｓ９２）。警告は、表示部２７に「ハンドルを両手で持って運転に集中して下さい。」というようなメッセージを表示する、あるいは、音声発生部２５およびスピーカ２６により同様の音声メッセージを送出する、の少なくとも一方により行う。
【００９５】
図１０〜図１５は、不正片手運転対応処理として接近警告閾距離拡大処理を実行する例である。接近警告情報を出力する条件である接近警告閾距離を通常時よりも拡大するように設定変更するものである。設定内容は、フラッシュメモリ８９あるいはＨＤＤ２１の所定の領域に記憶されている。
【００９６】
図１０の例は、不正片手運転フラグがセットされている場合（Ｓ１１１：Ｙｅｓ）、電子地図上の道路において、急カーブと見なす旋回半径を広くするように設定変更する（Ｓ１１２）ものである。こうすることで、両手運転であれば安全に通行することのできるカーブでも、片手運転では急カーブと同様に注意を払って通行しなければならないことをドライバに認識させ、両手運転を習慣付けるように誘導することができる。
【００９７】
そして、図１１は、不正片手運転フラグがセットされている場合（Ｓ１３１：Ｙｅｓ）、車両が急カーブに接近した際に、その接近を予告する警告を、通常よりも急カーブの入口から遠い地点で報知するように設定変更する（Ｓ１３２）例である。例えば、通常は急カーブの入口の手前５０ｍで、「この先、急カーブです。」という警告を表示あるいは音声メッセージで報知するものを、急カーブの入口の手前１００ｍで行う。
【００９８】
図１２は、不正片手運転フラグがセットされている場合（Ｓ１５１：Ｙｅｓ）、車両が車線の合流地点に接近した際に、その接近を予告する警告を、通常よりも合流地点から遠い地点で報知するように設定変更する（Ｓ１５２）例である。例えば、通常は合流地点の手前３０ｍで、「この先、合流地点です。」という警告を表示あるいは音声メッセージで報知するものを、合流地点の手前６０ｍで行う。
【００９９】
図１３は、不正片手運転フラグがセットされている場合（Ｓ１７１：Ｙｅｓ）、車両が踏切に接近した際に、その接近を予告する警告を、通常よりも踏切から遠い地点で報知するように設定変更する（Ｓ１７２）例である。例えば、通常は踏切の手前３０ｍで、「この先、踏切です。」という警告を表示あるいは音声メッセージで報知するものを、踏切の手前６０ｍで行う。
【０１００】
図１４は、不正片手運転フラグがセットされている場合（Ｓ１９１：Ｙｅｓ）、経路案内のタイミングを、通常よりも早くする（Ｓ１９２）例である。例えば、通常は右折する交差点（経路案内時に走行方向選択指示がなされる分岐点）の手前３０ｍで、「この先の交差点を右折です。」という経路案内を表示あるいは音声メッセージで報知するものを、その交差点の手前６０ｍで行う。
【０１０１】
図１５に、経路案内のタイミングを、通常よりも早くする例について表示部２７の表示画面例を用いて説明する。急カーブ，合流地点，踏切への接近時の報知についても同様である。車両の現在位置はＰ（○に▲）で、案内経路はＳとする。通常時（両手運転時）は、交差点Ｘを右折する場合には、交差点Ｘの手前３０ｍの地点Ｒで、「この先の交差点を右折です。」という経路案内が報知される。しかし、不当片手運転時は、交差点Ｘの手前６０ｍの地点Ｑで、「この先の交差点を右折です。ハンドルを両手で持って運転に集中して下さい。」という経路案内が報知される。
【０１０２】
図１６は、不正片手運転フラグがセットされている場合（Ｓ２１１：Ｙｅｓ）、運転関連機器以外の車載機器の使用を制限する（Ｓ２１２）例である。図１７は、ナビゲーション装置１００の操作を制限する例である。この場合、表示部２７には図１７のようなメッセージが表示され、操舵ハンドル１１を両手で把持しない限り通常の画面表示は行われなくなる。また、操作部２２からの操作を受け付けないようにしてもよい。
【０１０３】
図１８を用いて、ナビゲーション装置１００以外の車載機器の操作を制限する例について説明する。図１８の例では、ナビゲーション装置１００には、オーディオ・ビジュアル（以下、ＡＶと略称）機器１０２が車内ＬＡＮ２９を介してネットワーク接続されている。
【０１０４】
ＡＶ機器１０２は、テレビやラジオ放送の受信，ＣＤ等の音楽メディアの録音・再生，ＤＶＤの再生等を行う周知のものである。入力操作部１０２ｄの操作に基づいて、ＣＰＵ１０２ａの制御により、表示部１０２ｅに映像が表示され、音声出力部１０２ｆ（アンプ，スピーカ等を含む）から音声が送出される。ＬＡＮ  Ｉ／Ｆ１０２ｃはＬＡＮ  Ｉ／Ｆ２８と同様に車内ＬＡＮ２９を介してナビゲーション装置１００等の他の車載機器とのデータの遣り取りを行うためのインターフェース回路である。信号入力部１０２ｂは、例えばリモコンセンサとして構成される。リモコンが赤外線方式であれば、信号入力部１０２ｂは赤外線受光部を含んで構成される。
【０１０５】
不正片手運転フラグがセットされている場合（Ｓ２１１：Ｙｅｓ）におけるＡＶ機器１０２の使用を制限する方法としては、以下のいずれか一つ以上を用いる。
（１）ＡＶ機器の電源をオフ状態とする。
（２）表示部１０２ｅの表示を消す。
（３）表示部１０２ｅにナビゲーション装置１００と同様の警告メッセージを表示する。
（４）表示部１０２ｅの輝度やコントラストを変えて見づらくする。
（５）音声出力部１０２ｆの音量をゼロレベルにして聞こえなくする。
（６）所定のタイミングで音声出力部１０２ｆの音量をランダムな値に変化させて聞きづらくする。
（７）ＤＶＤ，ＣＤ等のメディアの再生時に再生・一時停止をランダムに繰り返す。
（８）入力操作部１０２ｄの操作を受け付けない。
（９）信号入力部１０２ｂ（リモコン信号受信部）で受信した指令信号を受け付けない。
（１０）音声出力部１０２ｆから、ノイズ等の人間が不快と感じる音を送出する。
【０１０６】
ナビゲーション装置１００の制御回路８０では上記制限を行うための指令信号および表示用データを生成し、車内ＬＡＮ２９を介してＡＶ機器１０２に送信される。この指令信号を受信したＡＶ機器１０２では、ＣＰＵ１０２ａにより実行される制御プログラム（図示せず）において、指令信号に応じた処理を実行する。ユーザが両手運転を行えば、ナビゲーション装置１００から上記制限を解除するための指令信号が送られ、ＡＶ機器１０２の動作状態は通常に戻る。
【０１０７】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【０１０８】
【図１】車載用ナビゲーション装置の構成を示すブロック図。
【図２】制御回路の構成例を示すブロック図。
【図３】ステアリング把持センサの取り付け例を示す図。
【図４】ステアリング舵角センサの取り付け例を示す図。
【図５】片手運転に関する処理の流れを説明するフロー図。
【図６】片手運転検出処理を説明するフロー図。
【図７】不正片手運転認識処理を説明するフロー図。
【図８】運転関連機器の操作を認識する別例を説明するフロー図。
【図９】不正片手運転対応処理として警告報知を行う処理を説明するフロー図。
【図１０】不正片手運転対応処理としての接近警告閾距離拡大処理を説明するフロー図。
【図１１】接近警告閾距離拡大処理の別例を説明するフロー図。
【図１２】接近警告閾距離拡大処理の別例を説明するフロー図。
【図１３】接近警告閾距離拡大処理の別例を説明するフロー図。
【図１４】接近警告閾距離拡大処理の別例を説明するフロー図。
【図１５】経路案内のタイミングを通常よりも早くする画面表示例を示す図。
【図１６】不正片手運転対応処理として車載機器の使用を制限する処理を説明するフロー図。
【図１７】車載機器として車載用ナビゲーション装置の使用を制限する場合の画面表示例を示す図。
【図１８】車載機器としてＡＶ機器の使用を制限する例を説明する図。
【符号の説明】
【０１０９】
１    ＧＰＳレシーバ（位置検出手段）
２    車速センサ（車速検出手段）
３    旋回速度センサ（位置検出手段）
４    シフトレバーポジションセンサ（シフトレバーポジション検出手段）
５ａ，５ｂ  ステアリング把持センサ（把持状態検出手段）
６    ステアリング舵角センサ（操舵角度検出手段）
７    照明灯スイッチ（操作検出手段）
８    ウィンカスイッチ（操作検出手段）
９    警告ホーンスイッチ（操作検出手段）
１０    ワイパースイッチ（操作検出手段）
２１    ハードディスク装置（ＨＤＤ）
２１ｍ  地図データ（地図データ記憶手段）
２２    操作部
２３    ＶＩＣＳレシーバ
２４    交通情報受信部（渋滞情報取得手段）
２５    音声発生部（警告報知手段，接近警告情報出力手段）
２６    スピーカ（警告報知手段，接近警告情報出力手段）
２７    表示部（警告報知手段，接近警告情報出力手段）
８０    制御回路
８１    ＣＰＵ（不正片手運転認識手段，不正片手運転対応処理実行手段，片手把持継続時間測定手段，平均片手運転率算出手段）
８１ｆ  片手運転判定部
１００    車載用ナビゲーション装置
【図１】
2008122149.tif 000003
【図２】
2008122149.tif 000004
【図３】
2008122149.tif 000005
【図４】
2008122149.tif 000006
【図５】
2008122149.tif 000007
【図６】
2008122149.tif 000008
【図７】
2008122149.tif 000009
【図８】
2008122149.tif 000010
【図９】
2008122149.tif 000011
【図１０】
2008122149.tif 000012
【図１１】
2008122149.tif 000013
【図１２】
2008122149.tif 000014
【図１３】
2008122149.tif 000015
【図１４】
2008122149.tif 000016
【図１５】
2008122149.tif 000017
【図１６】
2008122149.tif 000018
【図１７】
2008122149.tif 000019
【図１８】
2008122149.tif 000020